【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
複数の吐出部と、
複数のインク供給口であって、第１方向に沿って配列された複数のグループを成し、かつ、前記複数のグループのそれぞれにおいて前記第１方向に沿って配された複数のインク供給口と、
前記複数のグループに対応して設けられた複数の第１電圧配線部であって、各々が対応グループの各吐出部の第１端子に第１電圧を供給するための複数の第１電圧配線部と、
前記複数のグループに対応して設けられた複数の第２電圧配線部であって、各々が対応グループの各吐出部の第２端子に第２電圧を供給するための複数の第２電圧配線部と、を備え、
前記複数の第１電圧配線部のそれぞれは、
対応グループの各吐出部の前記第１端子を互いに電気的に接続する第１配線パターンと、
対応グループのインク供給口と、該対応グループのインク供給口とは別のインク供給口との間に配され、前記第１配線パターンに電気的に接続された第２配線パターンと、を含み、
前記複数の第２電圧配線部のそれぞれは、
対応グループの各吐出部の前記第２端子を互いに電気的に接続する第３配線パターンと、
対応グループのインク供給口と、該対応するグループのインク供給口とは別のインク供給口との間に配され、前記第３配線パターンに電気的に接続された第４配線パターンと、を含む
ことを特徴とする吐出ヘッド基板。
【請求項２】
前記第１配線パターンは前記第１方向に沿って配され、
前記第２配線パターンは前記第１方向と交差する第２方向に沿って配されている
ことを特徴とする請求項１に記載の吐出ヘッド基板。
【請求項３】
前記吐出ヘッド基板は、前記第１方向に沿った第１の辺と、前記第１の辺よりも短い、前記第２方向に沿った第２の辺と、を有しており、
前記吐出ヘッド基板は、前記第１の辺に沿って配された複数のパッドをさらに備え、
前記複数の第１電圧配線部のそれぞれの前記第２配線パターンは、前記第１配線パターンと前記複数のパッドの１つとを電気的に接続している
ことを特徴とする請求項２に記載の吐出ヘッド基板。
【請求項４】
前記各第２電圧配線部の前記第４配線パターンは、前記第３配線パターンと前記複数のパッドの他の１つとを電気的に接続している
ことを特徴とする請求項３に記載の吐出ヘッド基板。
【請求項５】
前記複数のグループのそれぞれにおいて、前記吐出部は、前記第１方向に沿う２つの列であって前記第１方向と交差する第２方向で隣り合う２つの列を形成するように配列されており、
対応するインク供給部は、前記２つの列の間に配されている
ことを特徴とする請求項１乃至４の何れか１項に記載の吐出ヘッド基板。
【請求項６】
前記２つの列のそれぞれに配列された前記吐出部の前記第１方向のピッチをＰとしたときに、
前記２つの列の一方は、前記２つの列の他方に対して、前記第１方向にＰ／２の距離だけシフトするように配されている
ことを特徴とする請求項５に記載の吐出ヘッド基板。
【請求項７】
前記複数のグループは、互いに隣接する第１グループおよび第２グループを含み、
前記第１グループの前記吐出部と前記第２グループの前記吐出部とは、互いに、前記第１方向と交差する第２方向にずれて配されている
ことを特徴とする請求項１乃至６のいずれか１項に記載の吐出ヘッド基板。
【請求項８】
前記第１グループに対応するインク供給部の一部と、前記第２グループに対応するインク供給部の一部とは、前記第２方向での平面視においてオーバーラップしている
ことを特徴とする請求項７に記載の吐出ヘッド基板。
【請求項９】
前記複数のグループは、前記第１方向に沿って千鳥状に配置されている
ことを特徴とする請求項１乃至８のいずれか１項に記載の吐出ヘッド基板。
【請求項１０】
各グループに対応するインク供給部の一部と、該グループに隣接する他のグループに対応するインク供給部の一部とは、前記第１方向と交差する第２方向での平面視においてオーバーラップしている
ことを特徴とする請求項９に記載の吐出ヘッド基板。
【請求項１１】
前記第１方向に沿う第１辺に沿って配された複数のパッドをさらに備え、
前記複数のパッドは、前記第１電圧を受けるパッドおよび前記第２電圧を受けるパッドを含んでおり、
前記第２方向での平面視において、
前記複数のグループにおいて隣り合う２つのグループの間の各位置には、前記第１電圧を受けるパッドおよび前記第２電圧を受けるパッドの一方が配され、かつ、
前記第１電圧を受けるパッドおよび前記第２電圧を受けるパッドは交互に配されている
ことを特徴とする請求項１０に記載の吐出ヘッド基板。
【請求項１２】
前記第１方向に沿う第１辺に沿って配された複数のパッドをさらに備え、
前記複数のグループは、千鳥状に配されており、かつ、
前記第１辺よりもその反対側の第３辺の近くに位置する第１グループと、
前記第１グループと隣り合い、前記第３辺よりも前記第１辺の近くに位置する第２グループと、
前記第２グループと前記第１グループに対して反対側で隣り合い、前記第１辺よりも前記第３辺の近くに位置する第３グループと、
を含み、
前記複数のパッドは、前記第２方向での平面視において前記第１グループと前記第２グループとの間に配された第１パッドと、該平面視において前記第２グループと前記第３グループとの間に配された第２パッドとを含んでおり、
前記第１グループに対応する前記第２配線パターンおよび前記第４配線パターンの一方と、前記第２グループに対応する前記第２配線パターンおよび前記第４配線パターンの一方とは、共に前記第１パッドに接続され、
前記第３グループに対応する前記第２配線パターンおよび前記第４配線パターンの他方と、前記第２グループに対応する前記第２配線パターンおよび前記第４配線パターンの他方とは、共に前記第２パッドに接続される
ことを特徴とする請求項１０に記載の吐出ヘッド基板。
【請求項１３】
前記第１グループ、前記第２グループおよび前記第３グループのそれぞれにおいて、対応する吐出部は、前記第１方向に沿って２つの列を形成するように配され、かつ、対応するインク供給口は、前記２つの列の間に位置しており、
前記第１パッドに電気的に接続された前記一方であって前記第２配線パターンおよび前記第４配線パターンの前記一方は、前記第１グループの前記インク供給口と前記第２グループの前記インク供給口との間を通過するように、前記第１方向および前記第２方向のいずれとも交差する第３方向に延在する部分を含み、
前記第２パッドに電気的に接続された前記他方であって前記第２配線パターンおよび前記第４配線パターンの前記他方は、前記第２グループの前記インク供給口と前記第３グループの前記インク供給口との間を通過するように、前記第１方向、前記第２方向および前記第３方向のいずれとも交差する第４方向に延在する部分を含む
ことを特徴とする請求項１２に記載の吐出ヘッド基板。
【請求項１４】
前記第１グループに対応する前記第２配線パターンおよび前記第４配線パターンの前記一方と、前記第２グループに対応する前記第２配線パターンおよび前記第４配線パターンの前記一方とは、前記第１方向での平面視において前記第２グループの各吐出部と前記第１パッドと間の位置において互いに接続されており、
前記第３グループに対応する前記第２配線パターンおよび前記第４配線パターンの前記他方と、前記第２グループに対応する前記第２配線パターンおよび前記第４配線パターンの前記他方とは、前記第１方向での平面視において前記第２グループの各吐出部と前記第２パッドと間の位置において互いに接続されている
ことを特徴とする請求項１３に記載の吐出ヘッド基板。
【請求項１５】
前記複数のインク供給口は、それぞれが前記第１方向に沿う複数の列に分かれて配される
ことを特徴とする請求項１乃至１４のいずれか１項に記載の吐出ヘッド基板。
【請求項１６】
前記複数の吐出部のそれぞれは、吐出素子と、該吐出素子を駆動するための駆動素子とを含む
ことを特徴とする請求項１乃至１５のいずれか１項に記載の吐出ヘッド基板。
【請求項１７】
前記複数の吐出部のそれぞれは、吐出素子と、該吐出素子を駆動するための駆動素子とを含んでおり、
前記第１方向において、隣接する駆動素子間のピッチは、隣接する吐出素子間のピッチよりも小さい
ことを特徴とする請求項１乃至１５のいずれか１項に記載の吐出ヘッド基板。
【請求項１８】
請求項１６または請求項１７に記載の吐出ヘッド基板と、
前記吐出ヘッド基板の各吐出素子に対応して設けられ、該吐出素子が駆動されたことに応答して液体を吐出する吐出口と、を備える
ことを特徴とする吐出ヘッド。
【請求項１９】
請求項１８に記載の吐出ヘッドと、
前記吐出ヘッドを駆動する吐出ヘッドドライバと、を備える
ことを特徴とする液体吐出装置。
【手続補正２】
【補正対象書類名】明細書
【補正対象項目名】０００９
【補正方法】変更
【補正の内容】
【０００９】
本発明の一つの側面は吐出ヘッド基板にかかり、前記吐出ヘッド基板は、複数の吐出部と、複数のインク供給口であって、第１方向に沿って配列された複数のグループを成し、かつ、前記複数のグループのそれぞれにおいて前記第１方向に沿って配された複数のインク供給口と、前記複数のグループに対応して設けられた複数の第１電圧配線部であって、各々が対応グループの各吐出部の第１端子に第１電圧を供給するための複数の第１電圧配線部と、前記複数のグループに対応して設けられた複数の第２電圧配線部であって、各々が対応グループの各吐出部の第２端子に第２電圧を供給するための複数の第２電圧配線部と、を備え、前記複数の第１電圧配線部のそれぞれは、対応グループの各吐出部の前記第１端子を互いに電気的に接続する第１配線パターンと、対応グループのインク供給口と、該対応グループのインク供給口とは別のインク供給口との間に配され、前記第１配線パターンに電気的に接続された第２配線パターンと、を含み、前記複数の第２電圧配線部のそれぞれは、対応グループの各吐出部の前記第２端子を互いに電気的に接続する第３配線パターンと、対応グループのインク供給口と、該対応するグループのインク供給口とは別のインク供給口との間に配され、前記第３配線パターンに電気的に接続された第４配線パターンと、を含むことを特徴とする。